(57)【要約】【課題】操作性を維持しながらユーザの関心を惹く広告を提供すること。【解決手段】  選択の対象となるコンテンツを一覧表示する一覧表示欄と、選択された前記コンテンツの内容を表示するための内容表示欄と、を画面に表示する画面表示手段と、前記一覧表示欄でコンテンツの選択を受け付け、選択された前記コンテンツの内容を前記内容表示欄に表示する受付表示手段と、前記一覧表示欄で前記受付表示手段により前記コンテンツの選択が受け付けられると、前記一覧表示欄に広告を表示する広告表示手段と、を備える。【選択図】図１
2014153613.tif 000002
【特許請求の範囲】
【請求項１】
選択の対象となるコンテンツを一覧表示する一覧表示欄と、選択された前記コンテンツの内容を表示するための内容表示欄と、を画面に表示する画面表示手段と、
前記一覧表示欄でコンテンツの選択を受け付け、選択された前記コンテンツの内容を前記内容表示欄に表示する受付表示手段と、
前記一覧表示欄で前記受付表示手段により前記コンテンツの選択が受け付けられると、前記一覧表示欄に広告を表示する広告表示手段と、
を備えたことを特徴とする情報処理装置。
【請求項２】
前記広告表示手段は、前記一覧表示欄のうち、選択された前記コンテンツに対応する部分に前記広告を表示することを特徴とする請求項１記載の情報処理装置。
【請求項３】
前記コンテンツは電子メールであることを特徴とする請求項１又は２記載の情報処理装置。
【請求項４】
前記広告表示手段は、選択された前記コンテンツに関連する広告を表示することを特徴とする請求項１から３のいずれか一項に記載の情報処理装置。
【請求項５】
前記広告表示手段は、前記コンテンツが選択される前に前記内容表示欄に表示されていたコンテンツに関連する広告を表示することを特徴とする請求項１から４のいずれか一項に記載の情報処理装置。
【請求項６】
前記広告表示手段は、前記コンテンツが選択される前の所定範囲内に表示されたコンテンツであって表示量が所定以上のコンテンツに関連する広告を表示することを特徴とする請求項１から５のいずれか一項に記載の情報処理装置。
【請求項７】
前記広告表示手段は、前記一覧表示欄において、前記コンテンツの前記一覧表示と、前記広告の表示とを、交互に行うことを特徴とする請求項１から６のいずれか一項に記載の情報処理装置。
【請求項８】
前記広告表示手段は、前記一覧表示欄のうち、選択された前記コンテンツに対応する部分の一部分に前記広告を表示することを特徴とする請求項１から７のいずれか一項に記載の情報処理装置。
【請求項９】
前記一覧表示欄に前記広告を表示した後、所定の条件が成立したときに前記広告の表示を終了し元の前記一覧表示へ戻す手段を備えたことを特徴とする請求項１から８のいずれか一項に記載の情報処理装置。
【請求項１０】
選択の対象となるコンテンツを一覧表示する一覧表示欄と、選択された前記コンテンツの内容を表示するための内容表示欄と、を画面に表示する画面表示処理と、
前記一覧表示欄でコンテンツの選択を受け付け、選択された前記コンテンツの内容を前記内容表示欄に表示する受付表示処理と、
前記一覧表示欄で前記受付表示処理により前記コンテンツの選択が受け付けられると、前記一覧表示欄に広告を表示する広告表示処理と、
をコンピュータが実行することを特徴とする情報処理方法。
【請求項１１】
コンピュータを制御することにより、
選択の対象となるコンテンツを一覧表示する一覧表示欄と、選択された前記コンテンツの内容を表示するための内容表示欄と、を画面に表示させ、
前記一覧表示欄でコンテンツの選択を受け付けさせ、選択された前記コンテンツの内容を前記内容表示欄に表示させ、
前記一覧表示欄で前記コンテンツの選択が受け付けられると、前記一覧表示欄に広告を表示させる
ことを特徴とするコンピュータプログラム。
【請求項１２】
請求項１１記載の情報処理プログラムを、前記コンピュータを備えた端末へ送信することを特徴とするサーバ装置。
【発明の詳細な説明】
【技術分野】
【０００１】
本発明は、情報処理装置における広告の表示に関する。
【背景技術】
【０００２】
従来、パーソナルコンピュータなど情報機器において、ウェブブラウザをはじめ各種アプリケーションプログラム（「アプリ」とも呼ぶ）などの表示画面に広告を表示する場合、ウェブページやゲーム画面など本来のコンテンツの上下や左右などに広告専用の領域を確保し、広告を表示していた（例えば、特許文献１参照）。
【先行技術文献】
【特許文献】
【０００３】
【特許文献１】特開２０１０−２５０７８８号
【発明の概要】
【発明が解決しようとする課題】
【０００４】
しかし、広告専用の領域を画面に確保すると、本来のコンテンツの表示領域がその分減少するうえ、ユーザが関心を持っている本来のコンテンツと無関係な領域に広告を表示してもユーザの関心を惹きにくいという問題があった。
【０００５】
本発明の目的は、コンテンツの表示領域を減らすことなく、ユーザの関心を惹く広告を表示することである。
【課題を解決するための手段】
【０００６】
上記の目的をふまえ、本発明の一態様（１）である情報処理装置は、選択の対象となるコンテンツを一覧表示する一覧表示欄と、選択された前記コンテンツの内容を表示するための内容表示欄と、を画面に表示する画面表示手段と、前記一覧表示欄でコンテンツの選択を受け付け、選択された前記コンテンツの内容を前記内容表示欄に表示する受付表示手段と、前記一覧表示欄で前記受付表示手段により前記コンテンツの選択が受け付けられると、前記一覧表示欄に広告を表示する広告表示手段と、を備えたことを特徴とする。
【０００７】
本発明の他の態様（１０）である情報処理方法は、上記態様を方法のカテゴリで捉えたもので、選択の対象となるコンテンツを一覧表示する一覧表示欄と、選択された前記コンテンツの内容を表示するための内容表示欄と、を画面に表示する画面表示処理と、前記一覧表示欄でコンテンツの選択を受け付け、選択された前記コンテンツの内容を前記内容表示欄に表示する受付表示処理と、前記一覧表示欄で前記受付表示処理により前記コンテンツの選択が受け付けられると、前記一覧表示欄に広告を表示する広告表示処理と、をコンピュータが実行することを特徴とする。
【０００８】
本発明の他の態様（１１）は、上記態様をコンピュータプログラムのカテゴリで捉えたもので、コンピュータを制御することにより、選択の対象となるコンテンツを一覧表示する一覧表示欄と、選択された前記コンテンツの内容を表示するための内容表示欄と、を画面に表示させ、前記一覧表示欄でコンテンツの選択を受け付けさせ、選択された前記コンテンツの内容を前記内容表示欄に表示させ、前記一覧表示欄で前記コンテンツの選択が受け付けられると、前記一覧表示欄に広告を表示させることを特徴とする。
【０００９】
本発明の他の態様（１２）であるサーバ装置は、上記態様をサーバ装置のカテゴリで捉えたもので、上記態様における情報処理プログラムを、前記コンピュータを備えた端末へ送信することを特徴とする。
【００１０】
本発明の他の態様（２）は、上記いずれかの態様において、前記広告表示手段は、前記一覧表示欄のうち、選択された前記コンテンツに対応する部分に前記広告を表示することを特徴とする。
【００１１】
本発明の他の態様（３）は、上記いずれかの態様において、前記コンテンツは電子メールであることを特徴とする。
【００１２】
本発明の他の態様（４）は、上記いずれかの態様において、前記広告表示手段は、選択された前記コンテンツに関連する広告を表示することを特徴とする。
【００１３】
本発明の他の態様（５）は、上記いずれかの態様において、前記広告表示手段は、前記コンテンツが選択される前に前記内容表示欄に表示されていたコンテンツに関連する広告を表示することを特徴とする。
【００１４】
本発明の他の態様（６）は、上記いずれかの態様において、前記広告表示手段は、前記コンテンツが選択される前の所定範囲内に表示されたコンテンツであって表示量が所定以上のコンテンツに関連する広告を表示することを特徴とする。
【００１５】
本発明の他の態様（７）は、上記いずれかの態様において、前記広告表示手段は、前記一覧表示欄において、前記コンテンツの前記一覧表示と、前記広告の表示とを、交互に行うことを特徴とする。
【００１６】
本発明の他の態様（８）は、上記いずれかの態様において、前記広告表示手段は、前記一覧表示欄のうち、選択された前記コンテンツに対応する部分の一部分に前記広告を表示することを特徴とする。
【００１７】
本発明の他の態様（９）は、上記いずれかの態様において、前記一覧表示欄に前記広告を表示した後、所定の条件が成立したときに前記広告の表示を終了し元の前記一覧表示へ戻す手段を備えたことを特徴とする。
【発明の効果】
【００１８】
本発明によれば、操作性を維持しながらユーザの関心を惹く広告を提供することができる。
【図面の簡単な説明】
【００１９】
【図１】本発明の実施形態について構成を示す機能ブロック図。
【図２】本発明の実施形態におけるデータの例を示す図。
【図３】本発明の実施形態における処理手順を示すフローチャート。
【図４】本発明の実施形態における画面表示例。
【図５】本発明の実施形態における画面表示例。
【発明を実施するための形態】
【００２０】
次に、本発明を実施するための形態（「実施形態」と呼ぶ）について図に沿って例示する。なお、背景技術や課題などで既に述べた内容と共通の前提事項は適宜省略する。
【００２１】
〔１．構成〕
本実施形態におけるコンテンツは電子メールであり、以下、単に「メール」とも呼ぶ。図１は、本実施形態における情報処理装置である端末Ｔと、端末Ｔに対し電子メールサービスを提供するメールサーバ１と、前記電子メールサービスの画面に表示する広告を送信する広告サーバＡと、が通信ネットワークＮ（インターネット、携帯電話網など）を介して接続される状態を示す。
【００２２】
端末Ｔと、メールサーバ１と、広告サーバＡと、はそれぞれコンピュータの構成として、ＣＰＵなどの演算制御部６と、主メモリや補助記憶装置等の記憶装置７と、通信ネットワークＮとの通信装置８（通信機器や通信アダプタなど）と、を有する。なお、端末Ｔと、メールサーバ１と、広告サーバＡと、の間で演算制御部６、記憶装置７、通信装置８のタイプや型式は異なってもよい。
【００２３】
端末Ｔは、図では一つを代表して示すが、実際は多数存在し、パーソナルコンピュータ、スマートフォン、タブレットＰＣや携帯電話端末など、コンピュータを用いた情報端末である。
【００２４】
端末Ｔは、上記のコンピュータの構成（演算制御部６、記憶装置７及び通信装置８）に加え、携帯型や据置型等のタイプに応じ、タッチパネル機能を備えた画面などの入出力装置９のほか、図示はしないが、内蔵充電池を制御する充電池制御部、通話の制御を行う通話制御部、ＧＰＳなどによる測位処理を行う測位部、各部を制御する基本ソフトウェアなどを備える。
【００２５】
端末Ｔと、メールサーバ１と、広告サーバＡと、では、それぞれ、記憶装置７に記憶されているコンピュータのプログラム（図示省略。以下単に「プログラム」とも呼ぶ）を演算制御部６が実行することで、図１に示す各要素を実現する。プログラムの形式は、例えば端末Ｔにあっては、予めもしくはユーザによりインストールされたアプリ、ウェブページに組み込まれウェブブラウザで実行されるスクリプト、所謂リッチインターネットアプリケーション、その他が考えられる。
【００２６】
プログラムにより実現される要素のうち、端末Ｔのメール記憶手段２５は、メールサーバ１経由で送受信したメールのデータを記憶する手段である。メールサーバ１のメール記憶手段１５は、端末ＴからのＰＯＰ３、ＩＭＡＰ４、ウェブメールその他のアクセスで受信されるメールや送信されたメールの記憶手段である。また、広告サーバＡの広告記憶手段Ａ５は、端末Ｔへ提供する広告のデータを記憶している手段である（例えば図２）。
【００２７】
記憶手段は、いわゆるローカル記憶に限らず、ネットワーク・コンピューティング（クラウド）によるリモート記憶でもよい。また、記憶手段は、データの格納領域だけでなく、データの入出力や管理などの機能を含んでもよい。また、本出願に示す記憶手段の単位は説明上の便宜によるもので、適宜、構成を分けたり一体化できる。また、明示する記憶手段以外にも、処理の対象、ワークエリアや結果などの記憶手段を適宜用いる。
【００２８】
なお、図中（例えば図１）の矢印は、データや制御などの流れについて主要な方向を補助的に示すもので、他の流れの否定や方向の限定を意味するものではない。また、記憶手段以外の各手段は、以下に説明するような情報処理の機能・作用（例えば図１）を実現・実行する処理手段であるが、これらは説明のために整理した機能単位であり、実際のハードウェア要素やソフトウェアモジュールとの一致は問わない。
【００２９】
〔２．作用〕
図３は、上記のプログラムに基く端末Ｔの動作手順のうち、特に本発明に関する部分を示すフローチャートである。
【００３０】
〔２−１．作用の概略〕
すなわち、プログラムの実行が開始されると、画面表示手段２０は、選択の対象となるメールを一覧表示する一覧表示欄と、選択されたメールの内容を表示するための内容表示欄と、を画面に表示する（ステップＳ１１）。図４の画面例では、画面左側に「受信箱」「送信済みメール」等のフォルダを表示するフォルダ表示欄Ｆ、その右側上部が一覧表示欄Ｌ、その下側が内容表示欄Ｃとなっている。
【００３１】
そして、受付表示手段３０は、一覧表示欄Ｌでメールの選択を受け付けると（ステップＳ１２：「ＹＥＳ」）、選択されたメールの内容を内容表示欄Ｃに表示する（ステップＳ１３）。また、広告表示手段４０は、一覧表示欄Ｌで受付表示手段３０によりメールの選択が受け付けられると（ステップＳ１２：「ＹＥＳ」）、一覧表示欄Ｌに広告を表示する（ステップＳ１４）。
【００３２】
例えば、図４の画面例では、一覧表示欄Ｌにおいて「お問い合わせにつきまして」というメールＭが、マウスのポインタＰでポイントされることによって反転表示されており、反転表示は図面上、白抜き文字で示している。この状態でユーザがマウスボタンのクリック操作などでメールを選択すると、画面は図５の状態に遷移する。
【００３３】
図５の画面例では、選択されたメールの内容が内容表示欄Ｃに表示され、また、広告表示手段４０は、一覧表示欄Ｌのうち、選択されたメールに対応する部分すなわち行の範囲に広告Ｄを表示している。その後、別のメールが選択されると、表示される広告と、その一覧表示欄Ｌ中の位置については、新たに選択されたメールに応じたものに切り替わる。なお、広告は文字列でも画像でも、さらに他の形式でもよい。
【００３４】
〔２−２．広告の選択〕
上記のように表示される広告Ｄの内容は、選択されたメールなどコンテンツの内容と無関係でも良いが、ここでは、広告表示手段４０は、選択されたメールＭに関連する広告Ｄを表示するものとする。メールＭと広告Ｄとの関連としては、例えば、広告の入稿や広告単価の入札時などに広告主などにより表示条件として指定された語が、メールの件名、内容となる本文、送信者欄、添付ファイルの名称等に含まれているときに、その広告を表示するなどである。
【００３５】
上記のような広告の表示条件は、広告サーバＡでは、広告記憶手段Ａ５に記憶されている（例えば図２）。そして、図４の画面を端末Ｔで表示しようとするとき又はメールの選択に応じ広告を表示しようとするときに、広告サーバＡの情報取得手段Ａ３がメールサーバ１からメールごとの各データ項目（送信元アドレス、件名、本文内容など）を取得する。
【００３６】
そして、選択送信手段Ａ４は、情報取得手段Ａ３により取得されたデータ項目と、広告記憶手段Ａ５に記憶されている広告ごとの表示条件から、各メールに関連する広告を選択し、その広告のデータを端末Ｔへ送信する。
【００３７】
例えば、図２において、広告ＩＤ「ＡＤ０２」で例示した広告の表示条件は、メールのいずれかのデータ項目に、「クレジット」「カード」「審査」のいずれかの語を含むことであるのに対し、図４及び図５に示すメールＭは件名、本文ともにこの表示条件に該当するので、図５の例では、一覧表示欄Ｌのうちこのメールに対応する部分に、ハイパーリンク付きのテキスト形式の広告Ｄ（「ポイントザクザク！今一番おトクなカードはこれ！」）が表示されている。
【００３８】
〔３．効果〕
（１）以上のように、本実施形態では、コンテンツであるメールＭを一覧表示欄Ｌにおいて選択すると（図４）、その内容を内容表示欄Ｃに表示する一方、一覧表示欄Ｌに広告Ｄを表示する（図５）。このため、広告専用の領域を予め確保する必要が無く、コンテンツの表示領域を減らすことなく広告を表示でき、従来存在しなかった新たな広告表示の機会が生まれる。
【００３９】
また、ユーザがコンテンツの選択操作をしたばかりの一覧表示欄Ｌに広告Ｄを表示することで、広告Ｄにユーザの関心を惹くことができる。なお、一覧表示欄Ｌは選択操作の完了により一旦用済みとなるので、広告Ｄを表示しても使い勝手への影響は少ない。
【００４０】
（２）特に、本実施形態では、一覧表示欄Ｌの全体ではなく選択したコンテンツに対応する部分に広告Ｄを表示する（図５）。このため、一覧表示欄Ｌのうち他のコンテンツに対応する部分の閲覧や選択操作を妨げず優れた使い勝手が実現できる。
【００４１】
（３）また、本実施形態では、適用対象が電子メールであり、一覧表示欄Ｌで送信者や件名を確認してメールを選択し（図４）、その本文を内容表示欄Ｃで確認する（図５）という画面構成や利用態様が本発明と特に適合する。
【００４２】
（４）また、本実施形態では、選択されたコンテンツ（メールＭ）に関連する広告Ｄを表示するので（図５）、ユーザは選択したばかりのコンテンツに関連する広告Ｄを目にすることになり、ユーザの関心を広告に強く惹きつけることができる。
【００４３】
〔４．他の実施形態〕
なお、上記実施形態（「第１実施形態」とも呼ぶこととする）や図の内容は例示に過ぎず、各要素の有無や配置、処理の順序や内容などは適宜変更可能である。このため、本発明は、以下に例示する変形例やそれ以外の他の実施態様も含むものである（図示は省略）。
【００４４】
例えば、第１実施形態では、コンテンツが電子メールである例を示したが、コンテンツは電子メールに限らず、ニュースその他の記事等の読み物や、ユーザ自身がサーバ上で記憶させたり編集する電子的なノートその他でもよい。また、広告は、図５のように一覧表示欄の一部ではなく、一覧表示欄の全体を一体に用いるように矩形の広告等を表示してもよい。広告は、画面のうち内容表示欄以外の領域に、ポップアップなどで表示してもよい。
【００４５】
また、コンテンツと広告との関連としては、第１実施形態のように直前に選択されたメールなどのコンテンツに関連する広告を表示することに限らず、例えば、コンテンツが選択される前に内容表示欄に表示されていたコンテンツ（例えば、一つ前に選択したメール）に関連する広告を表示するのでもよい。
【００４６】
このように、コンテンツの選択前に内容表示欄に表示されていたコンテンツに関連する広告を表示すれば、ユーザは見たばかりのコンテンツに関連する広告を目にすることになり、ユーザの関心を広告に強く惹きつけることができる。
【００４７】
また、コンテンツが選択される前の所定範囲内に表示されたコンテンツであって、表示量が所定以上のコンテンツに関連する広告を表示してもよい。コンテンツが選択される前の所定範囲は、例えば、数や時間などに基いて、直近に表示した最新３０通以内や、最近２４時間以内に表示されたメールなどでよい。
【００４８】
また、表示量が所定以上のコンテンツは、例えば、表示の回数や時間などに基いて、上記のように所定範囲内（例えば最新３０通以内）に表示されたメールのうち、他のメールを挟んで複数回表示したメール、１０秒以上表示したメール、継続表示時間が最長だったメールなどである。
【００４９】
このように、コンテンツの選択前に多く表示されたコンテンツに関連する広告を表示すれば、ユーザは、例え直前でなくても最近強い関心を寄せていたコンテンツに関連する広告を目にすることになり、ユーザの関心を広告に強く惹きつけることができる。
【００５０】
また、第１実施形態では、一覧表示欄Ｌのうち選択されたメールに対応する部分の全体に広告Ｄを表示したが（図５）、一覧表示欄Ｌのうち、選択されたメールに対応する部分の一部分（例えば、右半分や左半分など）に広告を表示してもよい。
【００５１】
このように、一覧表示欄のうち選択されたコンテンツに対応する部分の一部分に広告を表示すれば、コンテンツに対応する部分のうち広告を表示しない部分については広告の表示中も確認できるので、本来のコンテンツの優れた使い勝手が実現できる。
【００５２】
また、第１実施形態では、次のメールが選択されると広告とその表示位置を切り替える例を示したが、一覧表示欄において、メールの一覧表示と、広告の表示とを、交互に行ってもよい。
【００５３】
この場合、例えば図４で一覧表示欄ＬのメールＭを選択すると、内容表示欄Ｃは選択されたメールＭの内容が表示されている図５の状態となるが、一覧表示欄Ｌは、選択されたメールＭを含む一覧表示がされている図４の状態と、一覧表示のうちそのメールＭの位置に広告Ｄが表示されている図５の状態と、が例えば１秒間隔で交互に切り替わる。
【００５４】
このように、一覧表示欄において元の一覧と広告とを交互に表示すれば、元の一覧表示も確認できて本来のコンテンツの優れた使い勝手が実現できるうえ、表示の交互変化により広告が目立ってユーザの関心を強く惹きつけることができる。
【００５５】
また、広告表示手段４０又は他の適宜な手段により、一覧表示欄に広告を表示した後、所定の条件が成立したときに（例えば、広告以外の部分への操作があったときや、広告表示後所定時間の経過など）広告の表示を終了し元の一覧表示へ戻してもよい。
【００５６】
このように、時間の経過など所定の条件で一覧表示欄の表示を元に戻せば、本来のコンテンツの優れた使い勝手が実現できる。
【００５７】
また、各図の表示例（例えば図４や図５）は概念的に単純化した例に過ぎず、実際の画面には、他の表示項目など各種の要素が含まれる。
【００５８】
また、本発明の各態様は、明記しない他のカテゴリ（方法、プログラム、端末を含むシステムなど）としても把握できる。方法やプログラムのカテゴリでは、装置のカテゴリで示した「手段」を「処理」や「ステップ」のように適宜読み替えるものとする。また、「手段」の全部又は任意の一部を「部」（ユニット、セクション、モジュール等）と読み替えることができる。
【００５９】
また、実施形態に示した処理やステップについても、順序を変更したり、いくつかをまとめて実行しもしくは一部分ずつ分けて実行するなど変更可能である。また、個々の手段、処理やステップを実現、実行するＣＰＵ、コア、スレッドなどは共通でもよいし、手段、処理やステップごとにもしくはタイミングごとに異なってもよい。
【００６０】
また、本出願で示す個々の手段は、外部のサーバが提供している機能をＡＰＩ（アプリケーションプログラムインタフェース）やネットワーク・コンピューティング（いわゆるクラウドなど）で呼び出して実現してもよい。さらに、本発明に関する手段などの各要素は、コンピュータの演算制御部に限らず物理的な電子回路など他の情報処理機構で実現してもよい。
【符号の説明】
【００６１】
１  メールサーバ
６  演算制御部
７  記憶装置
８  通信装置
９  入出力装置
１５  メール記憶手段
２０  画面表示手段
２５  メール記憶手段
３０  受付表示手段
４０  広告表示手段
Ａ  広告サーバ
Ａ３  情報取得手段
Ａ５  広告記憶手段
Ｃ  内容表示欄
Ｄ  広告
Ｆ  フォルダ表示欄
Ｌ  一覧表示欄
Ｍ  メール
Ｎ  通信ネットワーク
Ｐ  ポインタ
Ｔ  端末
【図１】
2014153613.tif 000003
【図２】
2014153613.tif 000004
【図３】
2014153613.tif 000005
【図４】
2014153613.tif 000006
【図５】
2014153613.tif 000007